(57)【要約】【課題】  伝熱面である金属の腐食抑制性に優れ、低温であっても優れた流動性を有し、高温であっても揮発しにくい優れた伝熱媒体を提供する。【解決手段】  一般式（１）のグリコールジエーテル類、一般式（２）のグリコールジエステル類及び、一般式（３）のグリコールモノエーテルエステル類から選ばれる少なくとも１つの化合物を含む熱媒体成分と、熱媒体成分の１００質量部に対して、０．０５〜１０質量部である腐食抑制剤と、を有する。  Ｒ２-Ｏ-(-Ｒ１-Ｏ-)ｎ-Ｒ３  （１）  ｎは１〜５、Ｒ１はＣｍＨ２ｍ、ｍは１〜４、Ｒ２及びＲ３はＣｋＨ２ｋ+１、ｋは１〜５であり、  Ｒ２-Ｏ-(-Ｒ１-Ｏ-)ｎ-Ｒ３  （２）  ｎは１〜５、Ｒ１はＣｍＨ２ｍ、ｍは１〜４、Ｒ２及びＲ３はＯＣＣｋＨ２ｋ+１、ｋは１〜４である、  Ｒ２-Ｏ-(-Ｒ１-Ｏ-)ｎ-Ｒ３  （３）  ｎは１〜５、Ｒ１はＣｍＨ２ｍ、ｍは１〜４、Ｒ２はＣｋＨ２ｋ+１、ｋは１〜５、Ｒ３はＯＣＣＬＨ２Ｌ+１、Ｌは１〜４である。【選択図】  なし【特許請求の範囲】
【請求項１】
金属表面を伝熱面として、対象物との間で熱交換を行う液状の熱交換媒体であって、
下記一般式（１）で表されるグリコールジエーテル類、下記一般式（２）で表されるグリコールジエステル類及び、下記一般式（３）で表されるグリコールモノエーテルエステル類から選ばれる少なくとも１つの化合物を含む熱媒体成分と、
前記熱媒体成分の１００質量部に対して、０．０５〜１０質量部である腐食抑制剤と、を有する、
Ｒ２-Ｏ-(-Ｒ１-Ｏ-)ｎ-Ｒ３    （１）
ここで、ｎは１〜５、Ｒ１はＣｍＨ２ｍ、ｍは１〜４、Ｒ２及びＲ３はＣｋＨ２ｋ+１、ｋは１〜５であり、
Ｒ２-Ｏ-(-Ｒ１-Ｏ-)ｎ-Ｒ３    （２）
ここで、ｎは１〜５、Ｒ１はＣｍＨ２ｍ、ｍは１〜４、Ｒ２及びＲ３はＯＣＣｋＨ２ｋ+１、ｋは１〜４であり、
Ｒ２-Ｏ-(-Ｒ１-Ｏ-)ｎ-Ｒ３    （３）
ここで、ｎは１〜５、Ｒ１はＣｍＨ２ｍ、ｍは１〜４、Ｒ２はＣｋＨ２ｋ+１、ｋは１〜５、Ｒ３はＯＣＣＬＨ２Ｌ+１、Ｌは１〜４である、
ことを特徴とする熱交換媒体。
【請求項２】
前記熱媒体成分が前記グリコールジエーテル類を含む場合において、
前記一般式（１）において、ｎは２又は３、ｍは２又は３、かつ、ｋは１〜４であることを特徴とする請求項１に記載の熱交換媒体。
【請求項３】
前記熱媒体成分が前記グリコールジエステル類を含む場合において、
前記一般式（２）において、ｎは１〜３、ｍは２又は３、かつ、ｋは１であることを特徴とする請求項１に記載の熱交換媒体。
【請求項４】
前記熱媒体成分が前記グリコールモノエーテルエステル類を含む場合において、
前記一般式（３）において、ｎは２又は３、ｍは２又は３、かつ、ｋは１〜４であることを特徴とする請求項１に記載の熱交換媒体。
【請求項５】
前記熱交換媒体が、水及び／又はグリコール類を含むことを特徴とする請求項１から４のいずれか１つに記載の熱交換媒体。
【請求項６】
前記熱媒体成分の１００質量部に対して、前記水及び／又はグリコール類の合計が５０質量部未満であることを特徴とする請求項５に記載の熱交換媒体。
【請求項７】
前記腐食抑制剤がトリアゾール系化合物及び／又はアミン化合物であることを特徴とする請求項１から６のいずれか１つに記載の熱交換媒体。
【請求項８】
前記熱媒体成分の１００質量部に対して、０．００１〜０．１質量部のシリコン系消泡剤を含むことを特徴とする請求項１から７のいずれか１つに記載の熱交換媒体。
【請求項９】
容器内に−３０℃で充填された前記熱交換媒体において、前記容器の底面から前記熱交換媒体の液面に空気層が到達するまでの時間が１．５秒以下であることを特徴とする請求項１から８のいずれか１つに記載の熱交換媒体。
【請求項１０】
−３０℃における動粘度が６０ｍｍ２／ｓ以下であることを特徴とする請求項１から９のいずれか１つに記載の熱交換媒体。
【発明の詳細な説明】
【技術分野】
【０００１】
本発明は、金属表面を介して、対象物との間で熱交換を行うことにより、例えば、対象物を冷却する液状の熱交換媒体に関する。
【背景技術】
【０００２】
金属表面熱を伝熱面とする熱交換媒体には、金属腐食の抑制が要求される。また、幅広い温度領域（特に、高温領域）で使用可能であることも同時に要求されるが、この要求に対して、高度な両方の性能を満足する熱交換媒体は、これまで提案されていない。
【０００３】
特許文献１には、エチレングリコールを含む冷却液が開示されている。腐食抑制剤が３，５−ジメチルピラゾールであり、腐食抑制助剤がテトラエトキシシラン化合物であり、安定化剤が２−メルカプトチアゾリンである。
【０００４】
特許文献２には、ホルムアミド及び／又はメチルホルムアミドを主成分とした冷却液組成物が開示されている。具体的には、この冷却液組成物は、２０〜７０重量％のホルムアミド及び／又はメチルホルムアミドと、８０〜３０重量％の水と、０．１〜１０重量％の防錆剤とを含有する。
【０００５】
特許文献３には、金属材料を用いる燃料電池に使用される冷媒には、高い絶縁性と共に幅広い温度領域（−３０℃〜１５０℃）に対応できる温度特性が要求されることと、冷媒による腐食によって発生する冷媒の汚染とが開示されており、汚染防止のために、流路等を絶縁被覆するようにしている。
【０００６】
特許文献４には、水に比して高沸点液体である冷却油を用いた高温下での熱応力を吸収する冷却装置が開示されている。
【先行技術文献】
【特許文献】
【０００７】
【特許文献１】特開２０１４―２０３７３９号公報
【特許文献２】特開２０１５―１９３７６５号公報
【特許文献３】特開２００５―２２２７６４号公報
【特許文献４】特開昭６３−３２１１６号公報
【発明の概要】
【発明が解決しようとする課題】
【０００８】
しかしながら、特許文献１，２に記載の発明では、熱交換媒体の高温での揮発性の問題について解決されていない。特許文献３では、幅広い温度領域で使用可能な熱交換媒体については開示されていない。また、特許文献４では、水の沸点以上の沸点の冷凍油が用いられているが、金属腐食の抑制及び幅広い温度領域で使用可能な熱交換媒体については開示されていない。
【０００９】
本発明者等によれば、特定のグリコールジエーテル類、特定のグリコールジエステル類、特定のグリコールモノエーテルエステル類を、腐食抑制剤と併用することにより、金属腐食の抑制に優れ、低温であっても流動性に優れ、広い温度領域（特に、高温領域）においても揮発しにくい熱交換媒体が得られることを見出し、本発明を完成するに至った。
【００１０】
本発明の目的は、金属腐食を抑制し、低温での流動性に優れ、高温で使用しても蒸気圧を低く維持して熱交換媒体の漏洩等の防止に貢献する、新規な熱交換媒体を提供することにある。
【課題を解決するための手段】
【００１１】
本発明は、金属表面を伝熱面として、対象物との間で熱交換を行う液状の熱交換媒体であって、熱媒体成分及び腐食抑制剤を有する。熱媒体成分は、下記一般式（１）で表されるグリコールジエーテル類、下記一般式（２）で表されるグリコールジエステル類及び、下記一般式（３）で表されるグリコールモノエーテルエステル類から選ばれる少なくとも１つの化合物を含む。腐食抑制剤は、熱媒体成分の１００質量部に対して、０．０５〜１０質量部である。
【００１２】
Ｒ２-Ｏ-(-Ｒ１-Ｏ-)ｎ-Ｒ３    （１）
上記一般式（１）において、ｎは１〜５、Ｒ１はＣｍＨ２ｍ、ｍは１〜４、Ｒ２及びＲ３はＣｋＨ２ｋ+１、ｋは１〜５である。
【００１３】
Ｒ２-Ｏ-(-Ｒ１-Ｏ-)ｎ-Ｒ３    （２）
上記一般式（２）において、ｎは１〜５、Ｒ１はＣｍＨ２ｍ、ｍは１〜４、Ｒ２及びＲ３はＯＣＣｋＨ２ｋ+１、ｋは１〜４である。
【００１４】
Ｒ２-Ｏ-(-Ｒ１-Ｏ-)ｎ-Ｒ３    （３）
上記一般式（３）において、ｎは１〜５、Ｒ１はＣｍＨ２ｍ、ｍは１〜４、Ｒ２はＣｋＨ２ｋ+１、ｋは１〜５、Ｒ３はＯＣＣＬＨ２Ｌ+１、Ｌは１〜４である。
【００１５】
熱媒体成分がグリコールジエーテル類を含むとき、上記一般式（１）において、ｎは２又は３、ｍは２又は３、かつ、ｋは１〜４とすることができる。熱媒体成分がグリコールジエステル類を含むとき、上記一般式（２）において、ｎは１〜３、ｍは２又は３、かつ、ｋは１とすることができる。熱媒体成分がグリコールモノエーテルエステル類を含むとき、上記一般式（３）において、ｎは２又は３、ｍは２又は３、かつ、ｋは１〜４とすることができる。
【００１６】
熱交換媒体には、水及び／又はグリコール類を含ませることができる。ここで、熱媒体成分の１００質量部に対して、水及び／又はグリコール類の合計を５０質量部未満とすることができる。
【００１７】
腐食抑制剤としては、トリアゾール系化合物及び／又はアミン化合物を用いることができる。また、熱交換媒体には、熱媒体成分の１００質量部に対して、０．００１〜０．１質量部のシリコン系消泡剤を含ませることができる。
【００１８】
本発明の熱交換媒体を−３０℃で容器内に充填したときにおいて、容器の底面から熱交換媒体の液面に空気層が到達するまでの時間は、１．５秒以下である。また、本発明の熱交換媒体について、−３０℃における動粘度が６０ｍｍ２／ｓ以下である。
【発明の効果】
【００１９】
本発明によれば、伝熱面である金属の腐食抑制性に優れ、低温であっても優れた流動性を有し、高温であっても揮発しにくい優れた伝熱媒体を提供することができる。
【発明を実施するための形態】
【００２０】
本実施形態の熱交換媒体は、液状の媒体であって、熱交換媒体及び対象物の間の熱交換によって、対象物を加温したり冷却したりするために用いられる。具体的には、熱交換媒体を加熱しておき、この熱交換媒体の熱を対象物に伝達すれば、対象物を加温することができる。また、熱交換媒体を冷却しておけば、対象物から熱交換媒体に熱を伝達して対象物を冷却することができる。このように対象物の加温又は冷却を行うときには、熱交換媒体を流動させればよく、熱交換媒体の流動には、例えば、金属製の流動管、層状電熱板等が用いられる。
【００２１】
対象物としては、例えば、室内や冷蔵庫等の温度調節器用熱媒体、車両のエンジン、燃料電池、二次電池、モーター、制御用のコンピューターといった電源や駆動部材が挙げられるが、これに限るものではなく、熱交換媒体を接触させて加温又は冷却させるものであればよい。
【００２２】
本実施形態の熱交換媒体は、以下に説明する熱媒体成分及び腐食抑制剤を有する。腐食抑制剤の含有量は、熱媒体成分の１００質量部に対して、０．０５〜１０質量部であり、好ましくは０．０５〜２質量部であり、更に好ましくは０．０５〜０．６質量部である。
【００２３】
（熱媒体成分）
熱媒体成分は、後述するグリコールジエーテル類、グリコールジエステル類及びグリコールモノエーテルエステル類から選ばれる少なくとも１つの化合物を含む。
【００２４】
グリコールジエーテル類は、以下の一般式(１)で表される。
Ｒ２−Ｏ−（−Ｒ１−Ｏ−）ｎ−Ｒ３    （１）
【００２５】
一般式（１）において、Ｒ１はＣｍＨ２ｍであり、Ｒ２及びＲ３はＣｋＨ２ｋ+１である。ここで、ｎは１から５の整数であり、熱交換媒体の流動性を向上させる上では、好ましくは、２又は３である。ｍは１から４の整数であり、熱交換媒体の流動性を向上させる上では、好ましくは、２又は３である。ｋは１から５の整数であり、熱交換媒体の流動性を向上させる上では、好ましくは１から４の整数である。
【００２６】
グリコールジエーテル類としては、例えば、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、テトラエチレングリコールジメチルエーテル、テトラプロピレングリコールジメチルエーテル、ペンタエチレングリコールジメチルエーテル、ペンタプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、テトラエチレングリコールジエチルエーテル、テトラプロピレングリコールジエチルエーテル、ペンタエチレングリコールジエチルエーテル、ペンタプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、テトラエチレングリコールジプロピルエーテル、テトラプロピレングリコールジプロピルエーテル、ペンタエチレングリコールジプロピルエーテル、ペンタプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、テトラエチレングリコールジブチルエーテル、テトラプロピレングリコールジブチルエーテル、ペンタエチレングリコールジブチルエーテル、ペンタプロピレングリコールジブチルエーテル、エチレングリコールメチルブチルエーテル、プロピレングリコールメチルブチルエーテル、ジエチレングリコールメチルブチルエーテル、ジプロピレングリコールメチルブチルエーテル、トリエチレングリコールメチルブチルエーテル、トリプロピレングリコールメチルブチルエーテル、テトラエチレングリコールメチルブチルエーテル、テトラプロピレングリコールメチルブチルエーテル、ペンタエチレングリコールメチルブチルエーテル、ペンタプロピレングリコールメチルブチルエーテル、などが挙げられる。これらのグリコールジエーテル類については、１種を単独で用いてもよいし、２種以上を併用してもよい。
【００２７】
グリコールジエステル類は、以下の一般式（２）で表される。
Ｒ２−Ｏ−(−Ｒ１−Ｏ−)ｎ−Ｒ３    （２）
【００２８】
一般式（２）において、Ｒ１はＣｍＨ２ｍであり、Ｒ２及びＲ３はＯＣＣｋＨ２ｋ+１である。ここで、ｎは１から５の整数であり、熱交換媒体の流動性を向上させる上では、好ましくは、１から３の整数である。ｍは１から４の整数であり、熱交換媒体の流動性を向上させる上では、好ましくは２又は３である。ｋは１から４の整数であり、熱交換媒体の流動性を向上させる上では、好ましくは１である。
【００２９】
グリコールジエステル類としては、例えば、プロピレングリコールジアセタート、エチレングリコールジアセタート、ジエチレングリコールジアセタート、トリエチレングリコールジアセタートなどが挙げられる。これらのグリコールジエステル類については、１種を単独で用いてもよいし、２種以上を併用してもよい。
【００３０】
グリコールモノエーテルエステル類は、以下の一般式（３）で表される。
Ｒ２−Ｏ−(−Ｒ１−Ｏ−)ｎ−Ｒ３    （３）
【００３１】
一般式（３）において、Ｒ１はＣｍＨ２ｍであり、Ｒ２はＣｋＨ２ｋ+１であり、Ｒ３はＯＣＣＬＨ２Ｌ+１である。ここで、ｎは１から５の整数であり、熱交換媒体の流動性を向上させる上では、好ましくは、２又は３である。ｍは１から４の整数であり、熱交換媒体の流動性を向上させる上では、好ましくは２又は３である。ｋは１から５の整数であり、熱交換媒体の流動性を向上させる上では、好ましくは１から４の整数である。Ｌは１から４の整数である。
【００３２】
グリコールモノエーテルエステル類としては、例えば、ジエチレングリコールモノブチルエーテルアセタート、ジエチレングリコールモノメチルエーテルアセタート、ジエチレングリコールモノエチルエーテルアセタート、エチレングリコールモノメチルエーテルアセタート、エチレングリコールモノエチルエーテルアセタート、エチレングリコールモノブチルエーテルアセタートなどが挙げられる。これらのグリコールモノエーテルエステル類については、１種を単独で用いてもよいし、２種以上を併用してもよい。
【００３３】
熱交換媒体には、水及び／又はグリコール類を含めることができる。水及び／又はグリコール類の含有量は、金属の腐食を抑制することと、熱交換媒体を使用する所定の温度範囲（例えば、−３０〜１５０℃）において流動性を示すことを考慮して、適宜決めることができる。ここで、熱媒体成分の１００質量部に対して、水及び／又はグリコール類の合計量は、５０質量部未満であることが好ましい。水及び／又はグリコール類の合計量は、３０質量部以下であることがより好ましく、１０質量部以下であることがさらに好ましい。水及び／又はグリコール類は、熱交換媒体に予め含ませておくこともできるし、熱交換媒体を使用するときに添加することもできる。
【００３４】
水としては、例えば、イオン交換水が挙げられる。グリコール類としては、例えば、エチレングリコール、プロピレングリコールが挙げられる。
【００３５】
（腐食抑制剤）
腐食抑制剤としては、例えば、脂肪族モノカルボン酸、芳香族モノカルボン酸、脂肪族ジカルボン酸、芳香族ジカルボン酸又はそれらの塩、ホウ酸又はこの塩、ケイ酸又はこの塩、リン酸又はこの塩、亜硝酸塩、硝酸塩、モリブデン酸塩、トリアゾール系化合物、ジアゾール系化合物、チアゾール系化合物、及びアミン化合物から選ばれる少なくとも一種を用いることができる。好ましくは、腐食抑制剤として、トリアゾール系化合物及び／又はアミン化合物を用いることができる。以下、具体的に説明する。
【００３６】
（脂肪族モノカルボン酸）
脂肪族モノカルボン酸としては、例えば、ペンタン酸、ヘキサン酸、へプタン酸、オクタン酸、２−エチルヘキサン酸、ノナン酸、デカン酸、ウンデカン酸、ドデカン酸、オレイン酸、リノール酸、リノレン酸、リシノール酸、ステアリン酸等、及びそれらのアルカリ金属塩、アミン塩、アンモニウム塩が挙げられる。
【００３７】
（芳香族モノカルボン酸）
芳香族モノカルボン酸としては、例えば、安息香酸、ニトロ安息香酸、ヒドロキシ安息香酸等の安息香酸類、ｐ−トルイル酸、ｐ−エチル安息香酸、ｐ−プロピル安息香酸、ｐ−イソプロピル安息香酸、ｐ−ｔｅｒｔブチル安息香酸等のアルキル安息香酸、一般式ＲＯ−Ｃ６Ｈ４−ＣＯＯＨ（Ｒは炭素数が１から５のアルキル基）で示されるアルコキシ安息香酸、一般式Ｒ−Ｃ６Ｈ４−ＣＨ＝ＣＯＯＨ（Ｒは炭素数が１から５のアルキル基又はアルコキシ基）で示されるケイヒ酸、アルキルケイヒ酸、アルコキシケイヒ酸、及びこれらのアルカリ金属塩、アミン塩、アンモニウム塩が挙げられる。
【００３８】
（脂肪族ジカルボン酸）
脂肪族ジカルボン酸としては、例えば、マレイン酸、フマル酸、イタコン酸、シトラコン酸、メサコン酸、シュウ酸、マロン酸、コハク酸、グルタル酸、アジピン酸、ピペリン酸、スベリン酸、アゼライン酸、セバシン酸、ウンデカン酸、ドデカン２酸、ブラシル酸、タブチン酸等、及びそれらのアルカリ金属塩、アミン塩、アンモニウム塩が挙げられる。
【００３９】
（芳香族ジカルボン酸）
芳香族ジカルボン酸としては、例えば、イソフタル酸、無水フタル酸又はテレフタル酸等、及びそれらのアルカリ金属塩、アミン塩、アンモニウム塩が挙げられる。
【００４０】
（ホウ酸、ホウ酸塩）
ホウ酸、及びホウ酸塩としては、例えば、アルカリ金属塩、アルカリ土類金属塩、アミン塩、アンモニウム塩等が挙げられる。
【００４１】
（ケイ酸、ケイ酸塩）
ケイ酸、及びケイ酸塩としては、例えば、アルカリ金属塩、アルカリ土類金属塩、アミン塩、アンモニウム塩等が挙げられる。
【００４２】
（リン酸、リン酸塩）
リン酸、及びリン酸塩としては、例えば、正リン酸、ピロリン酸、トリメタリン酸、テトラリン酸等のアルカリ金属塩、アルカリ土類金属塩、アミン塩、アンモニウム塩が挙げられる。
【００４３】
（亜硝酸塩）
亜硝酸塩としては、例えば、アルカリ金属塩、アルカリ土類金属塩、アミン塩、アンモニウム塩等が挙げられる。
【００４４】
（硝酸塩）
硝酸塩としては、例えば、アルカリ金属塩、アルカリ土類金属塩、アミン塩、アンモニウム塩等が挙げられる。
【００４５】
（モリブデン酸塩）
モリブデン酸塩としては、例えば、アルカリ金属塩、アルカリ土類金属塩、アミン塩、アンモニウム塩等が挙げられる。
【００４６】
（トリアゾール系化合物）
トリアゾール系化合物としては、例えば、ベンゾトリアゾール、トリルトリアゾール、４−フェニル−１，２，３−トリアゾール、２−ナフトトリアゾール、４−ニトロベンゾトリアゾールが挙げられる。
【００４７】
（ジアゾール系化合物）
ジアゾール系化合物としては、例えば、イミダゾリン、イミダゾール、メルカプトイミダゾリン、メルカプトイミダゾール、ベンズイミダゾール、メチルイミダゾールが挙げられる。
【００４８】
（チアゾール系化合物）
チアゾール系化合物としては、例えば、ベンゾチアゾール、メルカプトベンゾチアゾール、及びそのアルカリ金属塩が挙げられる。
【００４９】
（アミン化合物）
アミン化合物としては、例えば、モノエタノールアミン、ジエタノールアミン、トリエタノールアミン、ジメチルエタノールアミン、ジエチルエタノールアミンのようなエタノールアミン類；モノイソプロパノールアミン、ジイソプロパノールアミン、トリイソプロパノールアミンのようなイソプロパノールアミン類；シクロヘキシルアミン、ジシクロヘキシルアミン、シクロヘキシルジエタノールアミンのようなシクロヘキシルアミン類；メチルアミン、エチルアミン、プロピルアミン、イソプロピルアミン、ブチルアミン、ジブチルアミン、トリブチルアミン、ヘキシルアミン、オクチルアミン、２-エチルヘキシルアミン、エチレンジアミン、ジエチレントリアミンなどのような脂肪族アミン類が挙げられる。
【００５０】
（シリコン系消泡剤）
本実施形態の熱交換媒体には、シリコン系消泡剤を含めることができる。ここで、シリコン系消泡剤の含有量は、熱媒体成分の１００質量部に対して、０．００１〜０．１質量部とすることができる。
【００５１】
シリコン系消泡剤としては、例えば、ジメチルポリシロキサン、ジエチルポリシロキサン、メチルフェニルポリシロキサン、ジメチルシロキサン・ジフェニルシロキサンコポリマー、α，ω-ジヒドロキシジメチルポリシロキサン、メチルハイドロジェンポリシロキサン等の一般シリコン；アミノ変性シリコン、アルキル変性シリコン、ポリエーテル変性シリコン、高級脂肪酸変性シリコン、カルボキシル変性シリコン、アルコール変性シリコン等の各種変性シリコン；各種架橋シリコン、共重合系シリコンが挙げられる。これらのシリコン系消泡剤については、１種を単独で用いてもよいし、２種以上を併用してもよい。
【００５２】
本実施形態の熱交換媒体には、上述した熱媒体成分、腐食抑制剤、シリコン系消泡剤の他に、熱交換媒体の用途に応じて、潤滑油、耐摩耗剤、着色剤、ＰＨ調整剤などを添加してもよい。
【００５３】
本実施形態の熱交換媒体は、以下に説明する特性を有する。
【００５４】
（空気層の移動時間）
熱交換媒体を試料瓶（容器）に充填し、試料瓶の上方に空気層を設けておく。試料瓶の底面から熱交換媒体の液面までの距離は１１０ｍｍとする。試料瓶内の熱交換媒体の温度を−３０℃とした後に、この試料瓶を逆さまにすると、空気層が試料瓶の底面から熱交換媒体の液面に向かって移動する。この空気層が熱交換媒体の液面に到達するまでの時間（空気層の移動時間）、言い換えれば、試料瓶を逆さまにしたタイミングから、空気層が熱交換媒体の液面に到達するまでの時間は、１．５秒以下であり、好ましくは１秒以下である。
【００５５】
（動粘度）
本実施形態の熱交換媒体については、−３０℃での動粘度が６０ｍｍ２／ｓ以下である。この動粘度は、好ましくは４０ｍｍ２／ｓ以下であり、さらに好ましくは２０ｍｍ２／ｓ以下である。
【実施例】
【００５６】
以下、本発明の実施例について説明する。
【００５７】
（実施例１）
熱媒体成分として、グリコールジエーテル類であるトリエチレングリコールジメチルエーテルを用い、腐食抑制剤として、ジエタノールアミン及びトリルトリアゾールを用い、シリコン系消泡剤を添加して熱交換媒体を製造した。トリエチレングリコールジメチルエーテルを１００質量部としたとき、ジエタノールアミンを０．３質量部、トリルトリアゾールを０．３質量部、シリコン系消泡剤を０．０１質量部とした。
【００５８】
（実施例２）
熱媒体成分として、グリコールジエーテル類であるトリプロピレングリコールジメチルエーテルを用い、腐食抑制剤として、ジエタノールアミン及びトリルトリアゾールを用い、シリコン系消泡剤を添加して熱交換媒体を製造した。トリプロピレングリコールジメチルエーテルを１００質量部としたとき、ジエタノールアミンを０．２質量部、トリルトリアゾールを０．１質量部、シリコン系消泡剤を０．０１質量部とした。
【００５９】
（実施例３）
熱媒体成分として、グリコールジエーテル類であるトリエチレングリコールジメチルエーテルを用い、腐食抑制剤として、ジエタノールアミン及びトリルトリアゾールを用い、シリコン系消泡剤及び水を添加して熱交換媒体を製造した。トリエチレングリコールジメチルエーテルを１００質量部としたとき、水を１０質量部、ジエタノールアミンを０．２質量部、トリルトリアゾールを０．１質量部、シリコン系消泡剤を０．０１質量部とした。
【００６０】
（実施例４）
熱媒体成分として、グリコールジエーテル類であるジエチレングリコールジブチルエーテルを用い、腐食抑制剤として、ジエタノールアミン及びトリルトリアゾールを用い、シリコン系消泡剤を添加して熱交換媒体を製造した。ジエチレングリコールジブチルエーテルを１００質量部としたとき、ジエタノールアミンを０．２質量部、トリルトリアゾールを０．１質量部、シリコン系消泡剤を０．０１質量部とした。
【００６１】
（実施例５）
熱媒体成分として、グリコールジエステル類であるプロピレングリコールジアセタートを用い、腐食抑制剤として、ジエタノールアミン及びトリルトリアゾールを用い、シリコン系消泡剤を添加して熱交換媒体を製造した。プロピレングリコールジアセタートを１００質量部としたとき、ジエタノールアミンを０．２質量部、トリルトリアゾールを０．１質量部、シリコン系消泡剤を０．０１質量％とした。
【００６２】
（実施例６）
熱媒体成分として、グリコールジエーテル類であるトリエチレングリコールジメチルエーテルを用い、腐食抑制剤として、ジエタノールアミン及びトリルトリアゾールを用い、シリコン系消泡剤、水及びエチレングリコールを添加して熱交換媒体を製造した。トリエチレングリコールジメチルエーテルを１００質量部としたとき、水を１０質量部、エチレングリコールを２０質量部、ジエタノールアミンを０．２質量部、トリルトリアゾールを０．１質量部、シリコン系消泡剤を０．０１質量部とした。
【００６３】
（実施例７）
熱媒体成分として、グリコールジエーテル類であるトリエチレングリコールジメチルエーテルと、グリコールジエステル類であるプロピレングリコールジアセタートと、グリコールモノエーテルエステル類であるジエチレングリコールモノブチルエーテルアセタートを用い、腐食抑制剤として、ジエタノールアミン及びトリルトリアゾールを用い、シリコン系消泡剤を添加して熱交換媒体を製造した。トリエチレングリコールジメチルエーテル、プロピレングリコールジアセタート及びジエチレングリコールモノブチルエーテルアセタートの合計量を１００質量部としたとき、ジエタノールアミンを０．２質量部、トリルトリアゾールを０．１質量部、シリコン系消泡剤を０．０１質量部とした。
【００６４】
（比較例１）
水、エチレングリコール、腐食抑制剤及びシリコン系消泡剤を混合して熱交換媒体を製造した。腐食抑制剤としては、ジエタノールアミン及びトリルトリアゾールを用いた。ここで、水を７０質量部とし、エチレングリコールを３０質量部とした。水及びエチレングリコールの合計を１００質量部としたとき、ジエタノールアミンを０．２質量部、トリルトリアゾールを０．１質量部、シリコン系消泡剤を０．０１質量部とした。
【００６５】
（比較例２）
熱媒体成分として、グリコールジエーテル類であるトリエチレングリコールジメチルエーテルを用い、水を添加して熱交換媒体を製造した。トリエチレングリコールジメチルエーテルを１００質量部としたとき、水を１０質量部とした。本比較例では、腐食抑制剤やシリコン系消泡剤は添加していない。
【００６６】
上述した実施例１〜７及び比較例１〜２の熱交換媒体について、以下に説明する評価を行った。以下、これらの評価内容について説明する。
【００６７】
（腐食性の評価）
腐食性の評価では、アルミニウム及び鋳鉄でそれぞれ形成された２枚の試験片を互いに離した状態で試験液（１５０ｍｌ）に浸漬し、２枚の試験片に電圧を印加して試験片の質量の変化を調べた。試験液は、実施例１〜７及び比較例１〜２の熱交換媒体である。
【００６８】
試験片としては、ＪＩＳ  Ｋ２２３４不凍液に規定する試験片を使用した。試験装置は、直流安定化電源（０〜２０Ｖ，０〜２．２Ａ）を使用した。試験を行う前に、試験液に２枚の試験片を離した状態で３０分浸漬した。
【００６９】
試験装置のマイナス極に一方の試験片を接続するとともに、試験装置のプラス極に他方の試験片を接続し電圧を１２Ｖに設定して３０分の間、電流を流した。この後、試験片の質量変化を測定した。
【００７０】
上述した測定結果に基づいて、試験片の質量変化値を算出した。質量変化値は、下記式（４）に基づいて算出した。
【００７１】
Ｄ＝｜ｍ２−ｍ１｜    ・・・（４）
【００７２】
上記式（４）において、Ｄは試験片の質量変化値（絶対値）［ｍｇ］であり、ｍ１は試験前の試験片の質量［ｍｇ］であり、ｍ２は試験後の試験片の質量［ｍｇ］である。
【００７３】
上述した質量変化値Ｄに基づいて、腐食性を評価した。ここで、質量変化値Ｄが大きいほど、試験片の腐食が進行していることになる。腐食性の評価においては、質量変化値Ｄに関する２つの閾値Ｄ＿ｔｈ１，Ｄ＿ｔｈ２を設定した。閾値Ｄ＿ｔｈ１は閾値Ｄ＿ｔｈ２よりも小さく、例えば、閾値Ｄ＿ｔｈ１を０．４ｍｇとし、閾値Ｄ＿ｔｈ２を０．６ｍｇとすることができる。質量変化値Ｄが閾値Ｄ＿ｔｈ１以下であるとき、腐食性の評価をＡとし、質量変化値Ｄが閾値Ｄ＿ｔｈ１〜Ｄ＿ｔｈ２の間であるとき、腐食性の評価をＢとし、質量変化値Ｄが閾値Ｄ＿ｔｈ２以上であるとき、腐食性の評価をＣとした。腐食性の評価では、Ａ、Ｂ、Ｃの順で耐腐食性に優れていることを示す。
【００７４】
（１５０℃蒸気圧の評価）
熱交換媒体の温度を１５０℃として、熱交換媒体の蒸気圧を測定した。蒸気圧は、比較的適用範囲が広いいわゆる「静置法」に基づいて測定した。蒸気圧が低いほど、熱交換媒体が揮発しにくいことを意味する。蒸気圧の評価においては、蒸気圧に関する２つの閾値ｅ＿ｔｈ１，ｅ＿ｔｈ２を設定した。閾値ｅ＿ｔｈ１，ｅは閾値ｅ＿ｔｈ２よりも低く、例えば、閾値ｅ＿ｔｈ１を１ａｔｍとし、閾値ｅ＿ｔｈ２を３ａｔｍとすることができる。蒸気圧が閾値ｅ＿ｔｈ１以下であるときの評価をＡとし、蒸気圧が閾値ｅ＿ｔｈ１〜ｅ＿ｔｈ２の間であるときの評価をＢとし、蒸気圧が閾値ｅ＿ｔｈ２以上であるときの評価をＣとした。
【００７５】
（流動性の評価）
流動性の評価では、ＪＩＳ  Ｋ２２３３の耐寒性評価で規定される装置及び器具を用いた。直径３７ｍｍ、高さ１６５ｍｍの試料瓶に１００ｍＬの熱交換媒体を入れ、清浄なコルク栓で試料瓶の開口に栓をして密閉状態とした。−３０℃±２℃に調節した低温槽中に試料瓶を入れ、１４４±４時間経過した後、試料瓶を低温槽から取り出し、試料瓶を速やかに逆さまに倒立させた。試料瓶を逆さまに倒立させてから、試料瓶内の空気層が熱交換媒体の液面に達するまでの時間（以下、液面到達時間という）をストップウオッチで測定した。この測定した液面到達時間に基づいて、熱交換媒体の流動性を評価した。
【００７６】
流動性の評価においては、液面到達時間が短いほど、熱交換媒体の流動性に優れていることになる。ここで、液面到達時間が１秒未満であるときの評価をＡとし、液面到達時間が１秒以上１．５秒以内であるときの評価をＢとし、液面到達時間が１．５秒以上であるときの評価をＣとし、熱交換媒体が固化して空気層が流動しないときの評価をＤとした。
【００７７】
（動粘度の評価）
熱交換媒体の動粘度は、ＪＩＳ  Ｋ２２８３（２０００）の規定に準じ、ウベローデ粘度計を用いて測定した。ここで、熱交換媒体の温度を−３０℃に調整した。動粘度の評価としては、動粘度が２０ｍｍ２／ｓ以下であるときの評価をＡとし、動粘度が２０〜４０ｍｍ２／ｓであるときの評価をＢとし、動粘度が４０〜６０ｍｍ２／ｓであるときの評価をＣとし、動粘度が６０〜８０ｍｍ２／ｓであるときの評価をＤとし、動粘度が８０ｍｍ２／ｓを超えたときの評価をＥとした。
【００７８】
（泡立ち性の評価）
ＪＩＳ  Ｋ２２３４の規定に準じて、熱交換媒体の泡立ち性を評価した。具体的には、メスシリンダーに所定量の熱交換媒体を入れ、メスシリンダーを所定回数だけ振とうした。振とう後、１０秒間静置した後において、メスシリンダーの外部から泡が発生しているか否かを目視によって確認した。
【００７９】
上述した評価の結果を下記表１に示す。
【００８０】
【表１】
2020125389.tif 000002
【００８１】
表１から分かるように、腐食性については、実施例１〜７の評価がＡであり、比較例１，２よりも優れていることが分かった。蒸気圧については、実施例１〜７の評価がＡ又はＢであり、比較例１よりも優れていることが分かった。流動性については、実施例１〜７の評価がＡであり、比較例１よりも優れていることが分かった。動粘度については、実施例１〜７の評価がＡ〜Ｃであり、比較例１よりも優れていることが分かった。泡立ち性については、実施例１〜７で泡立ちが見られなかった。
【００８２】
実施例３及び比較例２を比較すると、腐食性及び泡立ちの有無において、実施例３は比較例２よりも優れている。実施例５及び比較例２を比較すると、腐食性、蒸気圧及び泡立ちの評価において、実施例５は比較例２よりも優れている。実施例６，７と比較例２を比較すると、動粘度において、実施例６，７の評価（Ｃ）が比較例２の評価（Ｂ）よりも劣るが、腐食性、蒸気圧及び泡立ちの評価において、実施例６，７は比較例２よりも優れている。